(57)【要約】【課題】従来のナビゲーション装置では、ナビゲーション中に障害物情報を取得して出力することができなかった。【解決手段】地図情報が格納された格納部１０１と、地図情報を用いて、ナビゲーションを行うナビゲーション部１０２と、ナビゲーション部１０２がナビゲーションを行っている間、障害物に関する障害物情報を取得する取得部１０３と、取得部１０３が取得した障害物情報を出力する出力部１０４とを具備するナビゲーション装置１により、ナビゲーション中に障害物情報を取得して出力することができる。【選択図】図１
2017156153.tif 000002
【特許請求の範囲】
【請求項１】
地図情報が格納された格納部と、
前記地図情報を用いて、ナビゲーションを行うナビゲーション部と、
前記ナビゲーション部が前記ナビゲーションを行っている間、障害物に関する障害物情報を取得する取得部と、
前記障害物情報を出力する出力部と、を具備するナビゲーション装置。
【請求項２】
前記取得部は、前記ナビゲーション部が交差点又は分岐点におけるナビゲーションを行うときに、前記交差点又は前記分岐点における前記障害物情報の取得を行う、請求項１記載のナビゲーション装置。
【請求項３】
前記出力部は、前記ナビゲーション部が行っている前記ナビゲーションの表示の状態に応じて、前記ナビゲーションの出力態様とは異なる出力態様で、前記障害物情報を出力する、請求項１または２記載のナビゲーション装置。
【請求項４】
前記出力部は、前記ナビゲーション部が二画面表示で前記ナビゲーションを行っている場合は、前記取得部が取得した障害物情報を音声で出力し、前記ナビゲーション部が一画面表示で前記ナビゲーションを行っている場合は、前記ナビゲーションの表示の状態を一画面表示から二画面表示に切り換えて、二画面のうちの一方の画面で前記ナビゲーションを行う状態とし、他方の画面で前記取得部が取得した障害物情報を出力する、請求項３記載のナビゲーション装置。
【請求項５】
前記取得部は、前記障害物の位置を示す位置情報を取得し、
前記出力部は、前記ナビゲーション部が前記ナビゲーションを行っている地図上の、前記位置情報に対応する位置に前記障害物情報を表示する、請求項１から請求項４いずれか一項に記載のナビゲーション装置。
【請求項６】
前記出力部は、前記ナビゲーションで経路案内が行われている道路、または前記取得部が取得した前記障害物情報に対応する障害物が存在する道路が予め決められた条件を満たす場合にのみ、前記障害物情報を出力する、請求項１から請求項５いずれか一項に記載のナビゲーション装置。
【請求項７】
前記条件は、前記道路が閾値以下又は閾値未満の幅員を有することである、請求項６記載のナビゲーション装置。
【請求項８】
地図情報が格納された格納部を備えるナビゲーション装置の障害物情報の出力方法であって、
前記地図情報を用いて、ナビゲーションを行う第１のステップと、
前記ナビゲーションを行っている間、障害物に関する障害物情報を取得する第２のステップと、
前記障害物情報を出力する第３のステップと、を具備するナビゲーション装置の障害物情報の出力方法。
【請求項９】
コンピュータがアクセス可能な記録媒体は、地図情報が格納された格納部を具備し、
前記コンピュータを、
前記地図情報を用いて、ナビゲーションを行うナビゲーション部と、
前記ナビゲーションを行っている間、障害物に関する障害物情報を取得する取得部と、
前記障害物情報を出力する出力部と、して機能させるためのプログラム。
【発明の詳細な説明】
【技術分野】
【０００１】
本発明は、自動車に搭載されるナビゲーション装置等に関するものである。
【背景技術】
【０００２】
従来、障害物の存在を運転者に画像表示で報知する車両の障害物表示装置が提案されている。例えば、特許文献１には、自車両と衝突可能性のある障害物を含む自車両周辺の撮像画像に、当該障害物の予測進路及び自車両との予測衝突位置の情報を重畳して画像表示する障害物表示装置が提案されている（段落［０００６］〜［００２０］、図５参照）。
【先行技術文献】
【特許文献】
【０００３】
【特許文献１】特開２００７−３４６８４号公報
【発明の概要】
【発明が解決しようとする課題】
【０００４】
従来の障害物表示装置は、自車両の走行中に当該自車両の周辺の障害物を検出して表示装置に表示する専用の障害物表示装置である。このため、運転者に自車両の現在の走行位置や目的地までの経路などの情報を提供しながら（ナビゲーションをしながら）、障害物に関する情報（障害物情報）を運転者に報知することができないという問題がある。
【０００５】
また、従来のナビゲーション装置は、運転者に自車両の現在の走行位置や目的地までの経路などの情報や、道路交通情報通信システムによる情報などを運転者に提供するものであり、ナビゲーションの処理と並行して障害物情報を取得し、必要に応じてその障害物情報を出力する機能は有していない。
【０００６】
このため、運転者が走行中にナビゲーション情報と障害物情報の両方を得ようとすると、従来ではナビゲーション装置とは別に障害物表示装置を車両内に設けなければならず、両装置の取り付けが煩雑になるとともに、両装置の操作性や利用性などが低下するという問題があった。
【０００７】
本発明は、上記の課題に鑑みてなされたもので、ナビゲーション中に障害物情報を取得して運転者に障害物への注意を喚起することができるナビゲーション装置等を提供することを目的とする。
【課題を解決するための手段】
【０００８】
本発明に係るナビゲーション装置は、地図情報が格納された格納部と、前記地図情報を用いて、ナビゲーションを行うナビゲーション部と、前記ナビゲーション部が前記ナビゲーションを行っている間、障害物に関する障害物情報を取得する取得部と、前記障害物情報を出力する出力部と、を具備することを特徴とする。
【０００９】
かかる構成によれば、運転者への経路案内などのナビゲーション中に前記障害物情報を取得して出力するので、運転者に対し、経路案内だけでなく障害物への注意も喚起することができる。
【００１０】
上記のナビゲーション装置において、前記取得部は、前記ナビゲーション部が交差点又は分岐点におけるナビゲーションを行うときに、前記交差点又は前記分岐点における前記障害物情報の取得を行うようにするとよい。
【００１１】
かかる構成によれば、本発明に係るナビゲーション装置が搭載された自動車が交差点又は分岐点に近付いた場合、その交差点における前記障害物情報を取得して出力するので、運転者にその交差点に関するナビゲーションを行うとともに、その交差点における障害物への注意を喚起することができる。
【００１２】
また、上記のナビゲーション装置において、前記出力部は、前記ナビゲーション部が行っている前記ナビゲーションの表示の状態に応じて、前記ナビゲーションの出力態様とは異なる出力態様で、前記障害物情報を出力するにするとよい。
【００１３】
かかる構成によれば、障害物情報をナビゲーションの表示態様とは異なる態様で出力するので、運転者へのナビゲーションを阻害することなく、運転者に障害物への注意を喚起することができる。
【００１４】
また、上記のナビゲーション装置において、前記出力部は、前記ナビゲーション部が二画面表示で前記ナビゲーションを行っている場合は、前記取得部が取得した障害物情報を音声で出力し、前記ナビゲーション部が一画面表示で前記ナビゲーションを行っている場合は、前記ナビゲーションの表示の状態を一画面表示から二画面表示に切り換えて、二画面のうちの一方の画面で前記ナビゲーションを行う状態とし、他方の画面で前記取得部が取得した障害物情報を出力するようにするとよい。
【００１５】
かかる構成によれば、ナビゲーションを二画面表示で行っている状態で障害物情報を取得した場合は、その障害物情報を音声で出力し、ナビゲーションを一画面表示で行っている状態で障害物情報を取得した場合は、一画面表示を二画面表示に切り換えて一方の画面でナビゲーションを行い、他方の画面で障害物情報の表示を行うので、運転者へのナビゲーションを阻害することなく、運転者に障害物への注意を喚起することができる。
【００１６】
また、上記のナビゲーション装置において、前記取得部は、前記障害物の位置を示す位置情報を取得し、前記出力部は、前記ナビゲーション部が前記ナビゲーションを行っている前記地図情報上の、前記位置情報に対応する位置に前記障害物情報を表示するようにするとよい。
【００１７】
かかる構成によれば、ナビゲーションを行っている地図上に障害物の位置を表示するので、運転者に対して障害物の位置を地図上の位置で視覚的に知らせることができる。
【００１８】
また、上記のナビゲーション装置において、前記出力部は、前記ナビゲーションで経路案内が行われている道路、または前記取得部が取得した前記障害物情報に対応する障害物が存在する道路が予め決められた条件を満たす場合にのみ、前記障害物情報を出力するとよい。
【００１９】
かかる構成によれば、例えば、障害物が交通の安全に影響を与えるような道路の条件を満たす場合にのみ障害物情報の出力を行うので、運転者に対して不必要な障害物への注意喚起を低減し、障害物への注意喚起が必要な条件のときにだけを運転者に知らせることができる。
【００２０】
また、上記のナビゲーション装置において、前記条件は、前記道路が閾値以下又は閾値未満の幅員を有することであるとよい。
【００２１】
かかる構成によれば、道路が細街路の場合にのみ障害物情報の出力を行うので、細街路が障害物で交通事故が生じ易い状況になっている場合は運転者に対してその障害物への注意を喚起することができる。
【００２２】
本発明に係るナビゲーション装置の障害物情報の出力方法は、地図情報が格納された格納部を備えるナビゲーション装置の障害物情報の出力方法であって、前記地図情報を用いて、ナビゲーションを行う第１のステップと、前記ナビゲーションを行っている間、障害物に関する障害物情報を取得する第２のステップと、前記障害物情報を出力する第３のステップと、を具備することを特徴とする。
【００２３】
かかる構成によれば、運転者への経路案内などのナビゲーション中に前記障害物情報を取得して出力するので、運転者に対し、経路案内だけでなく障害物への注意も喚起することができる。
【００２４】
本発明に係るプログラムは、コンピュータがアクセス可能な記録媒体は、地図情報が格納された格納部を具備し、前記コンピュータを、前記地図情報を用いて、ナビゲーションを行うナビゲーション部と、前記ナビゲーションを行っている間、障害物に関する障害物情報を取得する取得部と、前記障害物情報を出力する出力部と、して機能させることを特徴とする。
【００２５】
かかる構成によれば、運転者への経路案内などのナビゲーション中に前記障害物情報を取得して出力するので、運転者に対し、経路案内だけでなく障害物への注意も喚起することができる。
【発明の効果】
【００２６】
本発明によるナビゲーション装置等によれば、運転者への経路案内などのナビゲーション中に障害物情報を取得して出力するので、運転者に対し、経路案内だけでなく障害物への注意も喚起することができる。
【図面の簡単な説明】
【００２７】
【図１】実施の形態のナビゲーション装置のブロック図
【図２】同ナビゲーション装置を実現するコンピュータシステムの構成の一例を示す図
【図３】同ナビゲーション装置が搭載される自動車に設けられる障害物検知装置の構成の一例を示す図
【図４】同ナビゲーション装置における障害物情報の出力処理の手順を示すフローチャート
【図５】同ナビゲーション装置の一画面表示によるナビゲーションの一例を示す図
【図６】同ナビゲーション装置の二画面表示によるナビゲーションの一例を示す図
【図７】同ナビゲーション装置が二画面表示でナビゲーションをしている場合の障害物情報の出力態様の一例を示す図
【図８】同ナビゲーション装置が一画面表示でナビゲーションをしている場合の障害物情報の出力の一例を示す図
【図９】同ナビゲーション装置が二画面表示でナビゲーションをしている場合の障害物情報の出力の変形例を示す図
【図１０】同ナビゲーション装置における障害物情報の出力処理の変形例の手順を示すフローチャート
【発明を実施するための形態】
【００２８】
以下、本発明に係るナビゲーション装置の実施の形態について、図面を参照して説明する。なお、実施の形態において、同じ符号を付した構成要素は同様の動作を行うので、再度の説明を省略する場合がある。
【００２９】
（実施の形態１）
図１は、実施の形態１に係るナビゲーション装置のブロック図である。
【００３０】
ナビゲーション装置１は、例えば、自動車、二輪車などの移動体に搭載され、移動体の現在の走行位置（現在位置）や目的地への経路案内などのナビゲーションを行うナビゲーション機能を備えた装置である。なお、ナビゲーション装置１は、専用機でもよく、ナビゲーション機能を備えたスマートフォンなどの携帯端末装置であってもよい。また、ナビゲーション装置１が適用される移動体として、上記の道路上を移動する自動車について説明するが、ナビゲーション装置１が適用可能な移動体の概念には、道路上を移動する人や動物、海上を航行する船、空間を飛行する飛行体などの移動するものを広く含む。
【００３１】
以下の説明では、道路上を走行する自動車にナビゲーション装置１を搭載した場合の例について説明する。なお、自動車には、バス、タクシー、トラックなどの商業的な行為をするための運輸営業用自動車と、それ以外の自家用自動車とが含まれる。
【００３２】
ナビゲーション装置１は、格納部１０１、ナビゲーション部１０２、取得部１０３、出力部１０４を備える。
【００３３】
格納部１０１は、ナビゲーションに使用する地図情報を格納している。ナビゲーション用の地図情報は、例えば、地図に含まれる各種の情報が複数のレイヤ（層）に分けて作成されている。例えば、地図情報は、道路、鉄道、水系、宅地、山林などの形状を描いた第１のレイヤ、家屋などの建造物の形状を描いた第２のレイヤ、施設名などの名称を含む各種の文字情報が記述された第３のレイヤ、道路の繋がりを示す道路ネットワークに関する情報を記述した第４のレイヤなどの複数のレイヤに分けて作成されている。
【００３４】
地図情報に含まれる画像情報は、例えば、ラスタデータやベクタデータである。道路ネットワークに関する情報は、複数の道路が交差する交差点や複数の道路に分岐する分岐点などの点（ノード）と、ノード同士を接続する線（リンク）の情報で構成されている。ノードは、例えば、地図上の位置情報（経度、緯度、高さの情報）によって特定されている。リンクは、例えば、起点及び終点のノードとリンクの形状を特定する複数の形状構成点とによって特定されている。ノードとリンクには、位置情報に加えて各種の属性情報が対応付けられている。例えば、リンクの属性情報には、距離や道路幅などの情報が含まれている。
【００３５】
格納部１０１は、不揮発性の記録媒体が好適であるが、揮発性の記録媒体でも実現可能である。格納部１０１に地図情報が記憶される過程は問わない。例えば、地図情報は、記録媒体を介して格納部１０１に記憶されてもよく、通信回線等を介して格納部１０１に記憶されてもよい。また、入力デバイスによって入力された地図情報が格納部１０１に記憶されてもよい。
【００３６】
ナビゲーション部１０２は、ナビゲーションを行う。ナビゲーションとは、現在地から目的地までの経路案内に関する各種の情報を画像表示又は音声出力によって移動体の移動を制御するものに提供することである。本実施の形態では、ナビゲーション装置１が搭載される移動体を自動車としているので、移動体の制御車は、運転者（ドライバー）となる。以下の説明では、ナビゲーション装置１が搭載される自動車を「自動車Ｘ」と称し、自動車Ｘの運転者を「運転者Ｙ」と称して説明する。経路案内に関する各種の情報（ナビゲーション情報）は、自動車Ｘの現在位置、目的地、現在位置から目的地までの経路、渋滞や事故発生などの道路状況、目的地の到着予想時間、交差点又は分岐点における走行方向などの情報である。
【００３７】
ナビゲーション部１０２は、ナビゲーション装置１が搭載された自動車Ｘの現在位置、目的地、現在位置から目的地までの経路、渋滞や事故発生などの道路状況、交差点又は分岐点における走行方向などの情報を、格納部１０１に格納されている地図情報を用いて出力する。また、ナビゲーション部１０２は、現在時刻、目的地の到着予測時刻など情報を、文字又はアナログ時計などの図形を用いて出力する。
【００３８】
ナビゲーション部１０２は、地図情報を用いてナビゲーションを行う場合、格納部１０１から自動車Ｘの現在位置を含む地図情報（比較的広域の地図情報）を読み出し、ナビゲーション装置１のディスプレイ（ディスプレイともいう）の全画面に地図を表示する。また、ナビゲーション部１０２は、例えば、ナビゲーション部１０２が取得した自動車Ｘの現在位置の情報と、格納部１０１に格納された地図情報の道路ネットワークの情報とを用いてマップマッチング処理を行い、地図上の自動車Ｘの現在位置に対応する位置を算出する。
【００３９】
ナビゲーション部１０２は、ディスプレイの全画面に表示した地図上に自動車Ｘの現在位置、目的地、目的地までの経路、渋滞や事故発生などのナビゲーション情報を表示してナビゲーションを行う。以下、このナビゲーションの表示態様を「一画面表示」という。
【００４０】
ナビゲーション部１０２は、交差点又は分岐点などでの進路変更を案内する場合、ディスプレイの全画面を複数の分割画面（通常、２つの分割画面）に分割し、一方の分割画面に元の広域の地図とナビゲーション情報を表示してナビゲーションを継続する。また、ナビゲーション部１０２は、格納部１０１から交差点又は分岐点の構造を示す図（例えば、交差点又は分岐点の部分を拡大した地図若しくは交差点又は分岐点の道路構造を示す模式図などの図）を読み出して他方の分割画面に表示する。さらに、ナビゲーション部１０２は、他方の分割画面に表示した図上に進路変更を示すナビゲーション情報を表示して交差点又は分岐点におけるナビゲーションを行う。以下、このナビゲーションの表示態様を「二画面表示」という。二画面表示は、ディスプレイの表示領域を横方向に二分割したものでもよく、縦方向に二分割したものでもよい。或いは、ディスプレイの表示領域の内部に小領域を設けるようにしたもの（Ｐｉｃｔｕｒｅ  ｉｎ  ｐｉｃｔｕｒｅ）でもよい。
【００４１】
また、ナビゲーション部１０２は、一画面表示及び二次画面表示において、ディスプレイに、時計の図形を表示し、その時計の図形上に現在時刻や目的地の到着予想時刻などの情報を文字又は図形によって表示する。この場合も、ナビゲーション部１０２は、格納部１０３に格納されている時計の図形、現在時刻や到着予想時刻を示す図形を読み出し、ディスプレイの所定の位置に表示する。
【００４２】
また、ナビゲーション部１０２は、通常、ＭＰＵやメモリ等で実現することができる。ナビゲーション部１０２の各処理の手順は、通常、ソフトウェアで実現され、当該ソフトウェアはＲＯＭ等の記録媒体に記録されている。但し、専用のハードウェア（専用回路）でナビゲーション部１０２を実現しても良い。なお、ナビゲーション部１０２が行うナビゲーションの具体的な処理は、周知であるので、詳細な説明は省略する。
【００４３】
取得部１０３は、ナビゲーション部１０２が上記のナビゲーションを行っている間、障害物情報を取得する。障害物は、通常、自動車Ｘの走行の妨げとなるものである。障害物には、自動車Ｘが走行している道路上に停車している他の自動車、道路上を走行している自転車、原動機付き自転車、自動二輪車などの二輪車、道路上に置かれている物や落下物などが含まれる。また、障害物には、自動車Ｘが走行している道路に進入する恐れのある人、動物、他の移動体なども含まれる。自動車Ｘの走行の妨げとなり得るものであれば、障害物の種類は問わない。
【００４４】
障害物情報には、例えば、障害となる物体の種類（移動体、人、動物、落下物などの種類）、大きさ、数量、位置などの情報を含まれる。従って、取得部１０３は、例えば、障害物の種類、大きさ、数量、位置などの障害物情報を取得する。取得部１０３の障害物情報の取得方法は、問わない。取得部１０３は、例えば、自動車Ｘに障害物を検知する障害物検知装置を設け、その傷害物検知装置の検知情報を用いて自動車Ｘの周囲にある障害物を検出してもよい。
【００４５】
障害物検知装置には、例えば、ミリ波や赤外線レーザーなどを用いたレーダー式の障害物検知装置やステレオカメラを用いた障害検知装置を用いることができる。
【００４６】
レーダー式の障害物検知装置は、例えば、障害物検知装置から所定の方向（例えば、自動車Ｘの前方や斜め前方の方向）の所定の角度範囲（例えば、照射方向を中心に水平方向（左右方向）に±α［°］の範囲や垂直方向（仰角方向）に±β°［°］の範囲）にミリ波の電波や赤外線レーザーを照射して当該角度範囲内に存在する物体を検知することができる。また、障害物検知装置は、例えば、照射したミリ波の電波又は赤外線レーザーが障害物を反射して返ってくる時間を計測することにより障害物検知装置から障害物までの距離を検出することができる。
【００４７】
障害物検知装置は、通常、自動車Ｘの適所に搭載されるから、障害物検知装置を用いた場合、取得部１０３は、その障害物検知装置から出力される検知情報を用いて、自動車Ｘから所定の角度範囲に存在する障害物を検出するとともに、自動車Ｘから障害物までの距離を検出する。
【００４８】
また、取得部１０３は、障害物検知装置がミリ波の電波又は赤外線レーザーを所定の範囲でスキャンするように照射し、その反射波を検知した情報を用いてその範囲に存在する物体の輪郭を検出する。取得部１０３は、例えば、検出した障害物の輪郭から当該輪郭の面積を算出することにより障害物の大きさの情報を取得するとよい。
【００４９】
また、取得部１０３は、自動車Ｘの現在位置の情報と、自動車Ｘからミリ波レーダー又は赤外線レーザーを照射した方向の情報と、自動車Ｘから障害物までの距離の情報とを用いて障害物の位置情報を算出する。
【００５０】
例えば、自動車Ｘに搭載された障害物検知装置の水平面内に、自動車Ｘの走行方向をＹ軸方向とするＸＹ座標系を設定し、障害物検知装置が障害物を検知した方向の角度をＹ軸に対して右回りに＋θ［°］とし、障害物検知装置から障害物までの距離をＬ［ｍ］とすると、取得部１０３は、Ｌ×ｃｏｓ（θ）とＬ×ｓｉｎ（θ）とを演算することによりＸＹ座標系における障害物の位置（Ｘｓ，Ｙｓ）の情報を取得する。この障害物の位置（Ｘｓ，Ｙｓ）の情報は、自動車Ｘの現在位置に対して方向と距離で定義される相対的に位置情報である。
【００５１】
取得部１０３は、障害物の位置（Ｘｓ，Ｙｓ）を自動車Ｘの位置を定義する座標系（例えば、緯度・経度の座標系）の位置に変換した後、自動車Ｘの現在位置の情報に加算して絶対的な位置情報を取得するようにしてもよい。
【００５２】
自動車Ｘにステレオカメラを用いた障害物検知装置を設けた場合、取得部１０３は、ステレオカメラで所定の方向の（例えば、前方や斜め前方の方向）の視野がずれた２つ画像を撮影し、それらの撮影画像の画像解析を行って障害物の大きさ、数量、位置、種類（例えば、物、移動体、人などの種類）などの情報を取得する。
【００５３】
取得部１０３は、撮影画像に写っている物体の輪郭（外形形状）を抽出し、その輪郭の形状をパターン認識することにより、自動車、二輪車、静止物、人などの種類の情報を取得する。また、取得部１０３は、撮影画像に写っている物体の輪郭の大きさを算出することにより、障害物の大きさを取得する。また、取得部１０３は、一方の撮影画像に写っている物体と他方の撮影画像に写っている物体の画面内の位置のずれ（視差）から障害物検知装置から障害物までの距離を算出することにより、自動車Ｘから障害物までの距離を取得する。
【００５４】
なお、取得部１０３は、道路交通情報通信システムの放送を利用して有線又は無線により障害物情報を取得してもよい。また、サーバなどで交通の障害となる状況に関する情報を提供するサービスがある場合は、取得部１０３がそのサーバにアクセスして交通の障害となる障害物情報を取得するようにしてもよい。交通の障害となる状況とは、移動体が車線内に停まっていたり、落下物などが車線内に存在していたり、移動体が車線内を移動していたりして、停車車両、落下物、人などが移動体の走行の障害となる状況である。
【００５５】
取得部１０３は、自動車Ｘの現在位置が交差点又は分岐点に近付き、ナビゲーション部１０２がその交差点又は分岐点におけるナビゲーションを行うときに当該交差点又は分岐点における障害物情報を取得する動作を行うことは好適である。
【００５６】
交差点又は分岐点におけるナビゲーションとは、交差点又は分岐点の名称と、交差点又は分岐点における右折、左折、直進などの進行方向の情報を運転者に提供するものである。すなわち、取得部１０３は、自動車Ｘの現在位置が交差点又は分岐点に近付き、ナビゲーション部１０２がその交差点又は分岐点におけるナビゲーションを開始すると、例えば、障害物検知装置を作動させて交差点又は分岐点の周囲に存在する障害物情報を取得するようにしてもよい。また、取得部１０３は、道路交通情報通信システムの放送を利用して自動車Ｘが進入しようとしている交差点又は分岐点における障害物情報を取得したり、サーバにアクセスして当該交差点又は分岐点における障害物情報を取得したりしてもよい。
【００５７】
出力部１０４は、取得部１０３が取得した障害物情報を出力する。出力部１０４が行う出力とは、例えば、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。本実施の形態では、障害物との衝突を防止するために障害物情報を運転者Ｙに報知するものであるから、出力部１０４が行う障害物情報の出力は、通常、ディスプレイへの障害物情報の表示とナビゲーション装置１のスピーカーによる障害物情報の音声出力のいずれか若しくは両方による出力である。
【００５８】
出力部１０４は、ナビゲーション部１０２が行っているナビゲーションの表示の状態に応じて、ナビゲーション情報の出力態様とは異なる出力態様で障害物情報を出力することは好適である。出力部１０４は、ナビゲーション部１０２が二画面表示でナビゲーションを行っているときに取得部１０３が障害物情報を取得した場合は、例えば、その障害物情報を音声で出力する。
【００５９】
出力部１０４は、例えば、障害物の種類、大きさ、位置、数量などの障害物情報を音声によって出力する。出力部１０４は、例えば、「＊＊先に＃＃の障害物があります。注意して走行して下さい。」という雛形のメッセージ文を有している。出力部１０４は、「＊＊」と「＃＃」の部分に取得部１０３が取得した、自動車Ｘの現在位置から障害物での距離Ｌ［ｍ］と障害物の種類Ｚ（例えば、停車している移動体や落下物）の情報を嵌め込むことにより、「Ｌ［ｍ］先に停車しているＺ（例えば、トラック）の障害物があります。注意して走行して下さい。」のメッセージ文を生成する。そして、出力部１０４は、生成したメッセージ文を音声合成により音声に変換してナビゲーション装置１のスピーカーから出力する。なお、出力部１０４は、音声ではなく、障害物に関するメッセージ文を生成してナビゲーション装置１の表示画面の上下左右の端部に表示してもよく、音声とメッセージ文の両方で障害物情報を出力してもよい
【００６０】
また、出力部１０４は、ナビゲーション部１０２が一画面表示でナビゲーションを行っているときに取得部１０３が障害物情報を取得した場合は、ナビゲーションの表示の態様を一画面表示から二画面表示に切り換え、二画面のうち一方の画面でナビゲーション部１０２によるナビゲーションを継続させ、他方の画面で障害物情報を表示する。
【００６１】
出力部１０４は、二画面表示のうち他方の画面で障害物情報を表示する場合、取得部１０３が取得した障害物の位置情報と、格納部１０１に格納された地図情報の道路ネットワークの情報とを用いてマップマッチング処理を行い、地図上の障害物の存在位置に対応する位置を算出する。
【００６２】
そして、出力部１０４は、格納部１０１から障害物の位置を含む比較的狭域の地図情報を読み出し、その地図を二画面表示のうちの他方の画面に表示する。また、出力部１０４は、地図上の障害物の存在位置に対応する位置に障害物を示す所定のマークを表示する。この場合、出力部１０４は、障害物情報を音声やメッセージ文でも出力するとよい。
【００６３】
出力部１０４は、ナビゲーション部１０２がナビゲーションをしている道路または取得部１０３が取得した障害物情報の障害物が存在する道路が予め決められた条件を満たす場合にのみ、障害物情報を出力するようにしてもよい。ここで、条件を満たす場合とは、例えば、道路が、自動車Ｘが障害物との間で衝突事故を発生する確率を高くするような属性値を有する場合である。
【００６４】
地図情報が有する道路ネットワークに関す情報には、道路の種類、幅員などの属性値が含まれている。道路の種類とは、道路法、道路交通法などで定義される国道、都道府県道、市町村道などの道路や幅員の観点で分類される建築基準法上の「二項道路」若しくは「細街路」と呼ばれる道路である。
【００６５】
なお、建築基準法には、幅員が４［ｍ］以上又は６［ｍ］以上の道路と幅員が４［ｍ］未満の道路の種類が定義されており、幅員が４ｍ未満の道路は「二項道路」若しくは「細街路」と呼ばれている。
【００６６】
自動車Ｘが走行している道路の幅員や、交差点や分岐点などで進行方向を変化させた先の道路の幅員が自動車同士の離合が困難なほど狭い場合、それらの道路に障害物があると、幅員が十分な道路に比べて自動車Ｘが障害物との間で衝突事故を発生する確率が高くなる。
【００６７】
従って、所定の条件を、道路の幅員が閾値未満若しくは閾値以下であるとすると、出力部１０４は、自動車Ｘが走行している道路又は障害物が存在する道路の幅員が閾値未満若しくは閾値以下である場合にのみ、障害物情報を出力するようにしてもよい。閾値が４［ｍ］の場合、所定の条件は道路が細街路に該当するとなるので、出力部１０４は、自動車Ｘが走行している道路又は障害物が存在する道路が細街路に該当する場合にだけ、障害物情報を出力するようにしてもよい。
【００６８】
なお、道路法若しくは道路交通法などで定義される国道、都道府県道、市町村道などの道路には、自動車同士の離合が困難な幅員の狭い道路もあるので、道路が細街路に該当する場合は、その道路が国道、府道、市道などの道路の種類のいずれに属するかは問わない。
【００６９】
また、道路が急カーブなどで見通しの悪い形状を有している場合、急カーブの先に障害物があると、自動車Ｘが当該急カーブに進入したときに、見通しの利くカーブよりも障害物と衝突事故を発生する確率が高くなる。このため、道路が見通しの悪いカーブなどの形状を有するという属性値も所定の条件を満たすか否かの判断の対象にしてもよい。
【００７０】
さらに、天候状態によって道路の路面状態は変化し、道路が凍結路になるなどのタイヤの摩擦力を低下させる状態になった場合は、自動車Ｘが走行している道路が細街路でなくても障害物との間で衝突事故を発生し易くなる。従って、このような属性値を有する場合も所定の条件を満たすか否かの判断の対象にしてもよい。
【００７１】
すなわち、所定の条件を満たすか否かの判断には、天候に関する条件を満たすか否かの判断を含めてもよい。天候に関する条件として、例えば、天候が雪、雨又は濃霧などである、気温が閾値（例えば、摂氏０［°］）以下であるなどの条件を設定することは好適である。
【００７２】
出力部１０４は、自動車Ｘの位置情報と地図情報が有する道路ネットワークに関する情報とからナビゲーション部１０２が取得した自動車Ｘの走行している道路の属性値が細街路を有していたり、当該道路の走行先が見通しの悪い形状を有していたり、当該道路が凍結路になっていたりする場合、所定の条件を満たすと判断して、その場合にのみ取得部１０３が取得した障害物情報を出力するようにしてもよい。
【００７３】
また、所定の条件に天候に関する条件を含める場合、ナビゲーション装置１に天候に関する情報を取得する天候情報取得部を設け、出力部１０４は、天候情報取得部が、例えば、天候が雪、雨又は濃霧であるの情報、若しくは気温が閾値以下であるの情報を取得した場合に、取得部１０３が取得した障害物情報を出力するようにしてもよい。
【００７４】
出力部１０４は、ディスプレイやスピーカー等の出力デバイスを含むと考えても良く、含まないと考えても良い。出力部１０４は、出力デバイスのドライバーソフトまたは、出力デバイスのドライバーソフトと出力デバイス等で実現することができる。
【００７５】
図２は、図１に示すナビゲーション装置１の障害物情報を表示する機能を実現するハードウェアの構成の一例を示す図である。
【００７６】
ナビゲーション装置１は、ＭＰＵ（Ｍｉｃｒｏ  Ｐｒｏｃｅｓｓｉｎｇ  Ｕｎｉｔ）１１と、ブートアッププログラム等のプログラムや、アプリケーションプログラム、システムプログラム、及びデータが記憶されるフラッシュメモリ等のＲＯＭ１２と、ＭＰＵ１１に接続され、アプリケーションプログラムの命令を一時的に記憶すると共に、一時記憶空間を提供するＲＡＭ１３と、無線通信モジュール１４と、ＭＰＵ１１、ＲＯＭ１２等を相互に接続するバス１５、ナビゲーションの情報と障害物情報を表示する液晶ディスプレイ１６と、を備えるコンピュータシステムで構成されている。ＭＰＵ１１、ＲＯＭ１２、ＲＡＭ１３、液晶ディスプレイ１６は、ナビゲーション部１０２と出力部１０４を実現し得る手段であり、ＲＯＭ１２は、格納部１０１を実現し得る手段である。また、図示省略の障害物検知装置から障害物情報を取得する構成の場合は、その障害物検知装置とＭＰＵ１１が取得部１０３を実現し得る手段となる。また、例えば、道路交通情報通信システムから障害物情報を取得する構成の場合は、ＭＰＵ１１と無線通信モジュール１４が取得部１０３を実現し得る手段となる。なお、ナビゲーションの情報と障害物情報を取得し、出力する機能は、ＲＯＭ１２に格納されているプログラムをＭＰＵ１１に実行させることにより実現されるものである。ＭＰＵ１１に実行させるプログラムは、例えば、以下のようなプログラムである。
【００７７】
コンピュータがアクセス可能な記録媒体は、地図情報が格納された格納部を具備し、コンピュータを、地図情報を用いて、ナビゲーションを行うナビゲーション部と、ナビゲーション部がナビゲーションを行っている間、障害物に関する障害物情報を取得する取得部と、障害物情報を出力する出力部と、して機能させるプログラムである。図２に示すコンピュータシステムがどのように動作してナビゲーション部１０２、取得部１０３、及び出力部１０４の各ブロックの機能を実現するのかについては周知であるので、詳細な説明は省略する。
【００７８】
次に、ナビゲーション装置１における障害物情報の出力動作について、説明する。
【００７９】
以下の説明では、ナビゲーション装置１は、ＧＰＳ機能を有しており、ＧＰＳによって当該ナビゲーション装置１の位置情報（緯度経度情報）が検出できるものとする。なお、位置の検出方式は、ＣＰＳに限られず、例えば、携帯電話ネットワークの基地局を用いる方式、無線ＬＡＮ（Ｌｏｃａｌ  Ａｒｅａ  Ｎｅｔｗｏｒｋ）のアクセスポイントを用いる方式であってもよく、これらの方式を組み合わせた方式であってもよい。
【００８０】
また、自動車Ｘは、ミリ波レーダーを用いて自動車Ｘの周辺に存在する障害物を検知する障害物検知装置を備え、ナビゲーション装置１の取得部１０３は、その障害物検知装置から障害物情報を取得するものとする。
【００８１】
図３は、自動車Ｘに設けられる障害物検知装置の構成の一例を示す図である。
【００８２】
同図に示すように、障害物検知装置２は、検知範囲の異なる複数のレーダー２０１と各レーダー２０１の出力信号を用いて障害物の検知処理を行う障害物検知部２０２とを含む。各レーダー２０１は、水平方向（左右方向）に凡そ４０［°］の検知範囲を有している。各レーダー２０１の検知範囲の中央を各レーダー２０１の代表的な照射方向とすると、隣接するレーダー２０１は、代表的な照射方向が互いに凡そ４０［°］異なっている。そして、障害物検知装置２は、自動車Ｘの前方の凡そ２００°の範囲で障害物を検知するように、自動車Ｘのフロント面の適所に５個のレーダー２０１が設けられている。
【００８３】
各レーダー２０１は、例えば、７６ＭＨｚの電波（ミリ波）をフェーズド・アレイ方式により凡４０［°］の検知範囲をスキャンするように照射し、その検知範囲にある物体からの反射波を受信する。障害物検知部２０２は、各レーダー２０１から出力される受信信号を用いて障害物までの距離と方向を検出する。障害物検知部２０２は、例えば、各レーダー２０１から発射したミリ波が障害物で反射して当該レーダー２０１に戻ってくるまでの時間を計測し、その時間を用いて障害物までの距離を算出する。また、障害物検知部２０２は、障害物が検出されたミリ波の発射方向によって障害物の方向を求める。
【００８４】
図４は、ナビゲーション装置１が運転者Ｙに目的地までの経路をナビゲーションしている期間に障害物検知装置２が障害物情報を取得し、自動車Ｘが走行している道路又は障害物が存在する道路が所定の条件を満たす場合にナビゲーション装置１が障害物情報を出力する処理の手順を示すフローチャートである。
【００８５】
自動車Ｘの運転者Ｙがナビゲーション装置１に目的地を設定して経路探索を行い、その探索結果に基づき経路を決定した後、案内開始（ナビゲーション開始）の操作を行うと、ナビゲーション装置１は、目的地までの経路の案内を開始する。
【００８６】
図４のフローチャートにおいては、運転者Ｙが目的地までの経路を決定し、案内開始の操作をしているものとして、障害物情報の出力処理を説明する。
【００８７】
（ステップＳ１０１）ナビゲーション部１０２は、ＧＰＳにより自動車Ｘの現在位置の情報を取得する。
【００８８】
（ステップＳ１０２）ナビゲーション部１０２は、取得した自動車Ｘの現在位置が交差点の近くに位置しているか否かを判別する。ナビゲーション部１０２は、例えば、自動車Ｘの現在位置の情報と、地図情報の道路ネットワークの情報とを用いてマップマッチング処理を行い、地図上の自動車Ｘの現在位置に対応する位置を算出する。また、ナビゲーション部１０２は、経路探索で算出した経路の情報を用いて自動車Ｘが走行している道路の情報を取得し、その道路の自動車Ｘの走行先のノード情報から自動車Ｘが近付いている交差点の位置情報を取得する。そして、ナビゲーション部１０２は、地図上の自動車Ｘの現在位置と自動車Ｘの走行先にある交差点との間の距離Ｌｃを算出し、その距離Ｌｃ［ｍ］が閾値ＬＴＨ［ｍ］（例えば、数十ｍ）以下であるか否かを判別する。ナビゲーション部１０２は、ＬＴＨ＜Ｌｃであれば（Ｓ１０２：Ｎ）、自動車Ｘは交差点の近くに位置しているとして、ステップＳ１０３に進み、Ｌｃ≦ＬＴＨであれば（Ｓ１０２：Ｙ）、自動車Ｘは交差点の近くに位置していないとして、ステップＳ１０５に進む。
【００８９】
（ステップＳ１０３）ナビゲーション部１０２は、ディスプレイの画面表示を一画面表示（ディスプレイの全画面を用いた表示）に切り換える。もしくは、当該画面表示を一画面表示のまま保持する。
【００９０】
（ステップＳ１０４）ナビゲーション部１０２は、格納部１０１から自動車Ｘの現在位置を含む比較的広域の地図情報を読み出し、ディスプレイの全画面に表示する。また、ナビゲーション部１０２は、ナビゲーション情報をディスプレイに表示した地図上に表示してステップＳ１０８に進む。具体的には、ナビゲーション部１０２は、地図上の自動車Ｘの現在位置に対応する位置に当該自動車Ｘを示す所定のマークを表示するとともに、地図上に自動車Ｘの現在位置から目的地に至る経路を表示する。なお、ナビゲーション部１０２は、地図上に目的地に対応する位置がある場合に当該目的地を示す所定のマークを表示する。
【００９１】
図５は、ナビゲーション部１０２がディスプレイに一画面表示でナビゲーション情報を表示している状態の一例を示す図である。また、図５は、自動車Ｘの現在位置を含む比較的広域の地図ＧＭをナビゲーション装置１の表示画面１０５全体に表示し、その地図ＧＭ上に自動車Ｘの現在位置Ｐを示す所定のマークＭ１（△マーク）と、目的地までの経路を示す経路案内線ＧＬ１を表示したものである。なお、△マークＭ１は、三角の頂点を自動車Ｘの走行方向に向けて表示している。また、目的地は、ナビゲーション装置１に表示している地図には存在していないので、地図上には表示されていない。
【００９２】
地図ＧＭ内の細線と二重線は道路を示し、細線で示す道路は幅員４ｍ未満の道路（細街路）であり、二重線で示す道路は幅員４ｍ以上の道路である。また、道路に沿った太線は目的地に至る経路を示す経路案内線ＧＬ１である。
【００９３】
図５の例では、自動車Ｘの走行先に交差点Ｐｃ１があるが、自動車Ｘの現在位置Ｐから交差点Ｐｃ１までの走行距離Ｌｃが閾値ＬＴＨよりも大きいので、ナビゲーション部１０２は、一画面表示でナビゲーションを行っている。
【００９４】
（ステップＳ１０５）ナビゲーション部１０２は、自動車Ｘが近付いている交差点で経路案内をするか否かを判別する。交差点における経路案内とは、例えば、交差点において直進する、右折する、左折するなどの進行方向を運転者Ｙに知らせる案内である。交差点における経路案内の情報がない場合（Ｓ１０５：Ｎ）、ステップＳ１０３に進み、交差点における経路案内の情報がある場合（Ｓ１０５：Ｙ）、ステップＳ１０６に進む。
【００９５】
（ステップＳ１０６）ナビゲーション部１０２は、ディスプレイの表示画面を二分割し、画面表示を一画面表示から二画面表示に切り換える。ナビゲーション部１０２は、例えば、ディスプレイの表示画面を横方向に二分割し、２つの分割画面を用いた二画面表示に切り換える。なお、ナビゲーション部１０２は、ナビゲーション装置１の表示画面を縦方向に二分割してもよく、画面表示をＰｉｃｔｕｒｅ  ｉｎ  Ｐｉｃｔｕｒｅの表示形態に切り換えてもよい。
【００９６】
（ステップＳ１０７）ナビゲーション部１０２は、一画面表示で行っていたナビゲーション情報の表示を二画面表示のうちの一方の画面に切り換える。また、ナビゲーション部１０２は、格納部１０１から交差点の構造を示す図像（例えば、交差点の部分を拡大した地図若しくは交差点の道路構造を示す模式図などの図）を読み出して他方の画面に表示する。そして、ナビゲーション部１０２は、その交差点の構造を示す画像に交差点における経路案内の情報を表示する。
【００９７】
図６は、ナビゲーション部１０２がディスプレイに二画面表示でナビゲーション情報を表示している状態の一例を示す図である。図６は、特に自動車Ｘが交差点Ｐｃ２に近接し、当該交差点Ｐｃ２におけるナビゲーション情報（経路案内の情報）を表示する場合の表示例である。また、図６は、ナビゲーション部１０２がナビゲーション装置１の表示画面１０５を左右に二分割し、格納部１０１から読み出した自動車Ｘの現在位置を含む比較的広域の地図ＧＭを左側の分割画面１０５Ａに表示し、格納部１０１から読み出した交差点Ｐｃ２を含む比較的狭域の地図Ｇｃを右側の分割画面１０５Ｂに表示してナビゲーション情報を表示している表示例である。同図の地図ＧＭ，Ｇｃ内の細線は幅員４ｍ未満の道路（細街路）であり、二重線は幅員４ｍ以上の道路である。また、△のマークＭ１は、自動車Ｘの現在位置を示している。また、地図ＧＭ内の道路に沿った太線ＧＬ１は目的地までの経路を示す経路案内線であり、地図Ｇｃ内の道路に沿った太い矢印線ＧＬ２は交差点Ｐｃ２における進行方向の案内線である。
【００９８】
図６では、ナビゲーション部１０２が地図情報の道路ネットワークの情報から取得した交差点Ｐｃ２における進行方向の情報を用いて、メッセージ文（「まもなく、○○交差点です。右折して下さい。」）を生成し、そのメッセージ文も地図ＧＭ，Ｇｃの下部に表示している。すなわち、ナビゲーション部１０２は、道路ネットワークの情報から交差点Ｐｃ２を示す情報（例えば、○○交差点の名称）、その交差点Ｐｃ２における進行方向を示す情報（例えば、右折の情報）を取得する。ナビゲーション部１０２は、予め用意されている「間もなく、＊＊交差点です。＃＃して下さい。」という雛形のメッセージ文の「＊＊」の部分に「○○」の交差点の名称の情報を嵌め込むとともに、「＃＃」の部分に［右折］の情報を嵌め込んで、「間もなく、○○交差点です。右折して下さい。」のメッセージ文を生成する。そして、ナビゲーション部１０２は、そのメッセージ文を表示画面１０５の地図ＧＭ，Ｇｃの下部に表示している。この場合、ナビゲーション部１０２は、「間もなく、○○交差点です。右折して下さい。」のメッセージ文を音声に変換してナビゲーション装置１のスピーカー１０６（図７参照）から出力してもよい。
【００９９】
なお、図６の例では、表示画面１０５を横方向に二分割しているが、表示画面１０５をＰｉｃｔｕｒｅ  ｉｎ  Ｐｉｃｔｕｒｅの態様で２つの領域に分け、現在位置Ｐを含む地図情報を広い領域に表示し、交差点Ｐｃ２の経路案内用の画像を狭い領域に表示するようにしてもよい。
【０１００】
（ステップＳ１０８）取得部１０３は、障害物検知装置２を用いて障害物情報を取得する。取得部１０３は、障害物検知装置２から出力される障害物の検知情報のうち、自動車Ｘを中心に所定の範囲ＲＴＨ内に存在する障害物の障害物情報を取得する。
【０１０１】
（ステップＳ１０９）取得部１０３は、障害物情報の取得処理により障害物が検出されたか否かを判別する。障害物が検出されない場合は（Ｓ１０９：Ｎ）、ステップＳ１０１に戻り、障害物が検出された場合は（Ｓ１０９：Ｙ）、ステップＳ１１０に進む。
【０１０２】
（ステップＳ１１０）取得部１０３は、自動車Ｘが走行している道路又は障害物が存在する道路が所定の条件を満たすか否かを判別する。所定の条件は、例えば、道路が細街路に該当するという条件である。
【０１０３】
取得部１０３は、例えば、ナビゲーション部１０２がナビゲーション情報として取得した自動車Ｘが走行している道路の属性値又は障害物が存在する道路の属性値に幅員が閾値ＤＴＨ（例えば、４［ｍ］）未満であるという情報が含まれているか否かを判別する。取得部１０３は、幅員が閾値ＤＴＨ未満であるという情報（すなわち、道路が細街路であるという情報）が含まれていれば、自動車Ｘが走行している道路又は障害物が存在する道路は条件を満たすと判断し（Ｓ１１０：Ｙ）、ステップＳ１１１に進み、幅員が閾値ＤＴＨ未満であるという情報（すなわち、道路が細街路ではないという情報）が含まれていなければ（Ｓ１１０：Ｎ）、ステップＳ１０１に戻る。
【０１０４】
（ステップＳ１１１）出力部１０４は、ナビゲーション部１０２が二画面表示でナビゲーションをしているか否かを判別する。ナビゲーション部１０２が二画面表示でナビゲーションをしている場合は（Ｓ１１１：Ｙ）、ステップＳ１１２に進み、ナビゲーション部１０２が一画面表示でナビゲーションをしている場合は（Ｓ１１１：Ｎ）、ステップＳ１１３に進む。
【０１０５】
（ステップＳ１１２）出力部１０４は、取得部１０３が取得した障害物情報を、例えば、音声で出力する。例えば、取得部１０３が自動車Ｘの進入しようとしている交差点の手前に停車している大型の自動車（例えば、トラック）を障害物情報として取得したとする。出力部１０４は、当該障害物情報と予め用意されている雛形のメッセージ文とを用いてメッセージ文を生成する。例えば、格納部１０１に「＊＊交差点の手前に＃＃が停車しています。注意してください。」の雛形のメッセージ文が格納されているとする。出力部１０４は、雛形のメッセージ文の「＊＊」と「＃＃」の部分に、ナビゲーション部１０２が取得した交差点の名称「○○」と取得部１０３が取得した障害物の種類（例えば、トラック）を嵌め込んで、「○○交差点の手前にトラックが停車しています。注意して下さい。」のメッセージ文を生成する。そして、出力部１０４は、メッセージ文を音声に変換してナビゲーション装置１のスピーカーから出力してステップＳ１０１に戻る。
【０１０６】
図７は、ナビゲーション部１０２が二画面表示でナビゲーションを行っている場合の障害物情報の出力態様の一例を示す図である。図７の例は、ナビゲーション部１０２が図６に示す二画面表示でナビゲーションを行っているときに、取得部１０３が交差点Ｐｃ２の手前に止まっているトラックの障害物情報を取得した場合の表示例である。ナビゲーション装置１の表示画面１０５に二画面表示で表示されているナビゲーションの画像は図６と同じである。
【０１０７】
出力部１０４は、生成した「○○交差点の手前にトラックが停車しています。注意して下さい。」のメッセージ文を音声に変換してナビゲーション装置１の正面下部の左右の端部に設けられたスピーカー１０６から出力する。なお、出力部１０４は、生成した「○○交差点の手前にトラックが停車しています。注意して下さい。」のメッセージ文を表示画面１０５の地図ＧＭ，Ｇｃの下部に表示するようにしてもよい。また、出力部１０４は、右側の分割画面１０５Ｂに表示されている地図Ｇｃの交差点Ｐｃ２の手前の位置に障害物が存在することを示す所定のマークを表示するようにしてもよい。また、出力部１０４は、上記の障害物情報を音声とメッセージ文の両方で出力してもよい。
【０１０８】
（ステップＳ１１３）出力部１０４は、ディスプレイの表示画面を二分割し、画面表示を一画面表示から二画面表示に切り換える。出力部１０４は、例えば、ディスプレイの表示画面を横方向に二分割し、２つの分割画面を用いた二画面表示に切り換える。なお、出力部１０４は、ディスプレイの表示画面を縦方向に二分割するようにしてもよい。
【０１０９】
（ステップＳ１１４）ナビゲーション部１０２は、一画面表示で行っていたナビゲーションを二画面表示のうちの一方の画面を用いて継続する。また、出力部１０４は、二画面表示のうちの他方の画面を用いて障害物情報を表示する。
【０１１０】
図８は、ナビゲーション部１０２が一画面表示でナビゲーションを行っているときに取得部１０３が障害物情報を取得した場合の障害物情報の出力態様の一例を示す図である。  図８の例は、ナビゲーション部１０２が図５に示すナビゲーションを行っている状態から自動車Ｘが交差点Ｐｃ１に近付いたときに、取得部１０３がその交差点Ｐｃ１の手前のトラックを障害物として検知した場合の障害物情報の表示例である。
【０１１１】
取得部１０３が障害物情報を取得したときには、ナビゲーション部１０２は、図８の上側に示すように、一画面表示でナビゲーションを行っている。このときには、自動車Ｘは、交差点Ｐｃ１の手前まで近付いているので、ナビゲーション部１０２は、地図ＧＭの交差点Ｐｃ１の手前の位置に自動車Ｘの現在位置を示すマークＭ１を表示している。
【０１１２】
取得部１０３が障害物情報を取得すると、出力部１０４は、図８の下側に示すように、ナビゲーション装置１の画面表示を二画面表示に切り換え、左側の分割画面１０５Ａに一画面表示でナビゲーションを行っていた経路案内の画像を表示する。また、出力部１０４は、二画面表示のうちの右側の分割画面１０５Ｂに障害物情報を表示する。この場合、出力部１０４は、交差点Ｐｃ１付近の拡大した地図情報を格納部１０１から読み出して右側の分割画面１０５Ｂに地図Ｇｃを表示し、その地図Ｇｃ上の障害物の位置情報に対応する位置ｑに障害物の存在を示す星印のマークＭ２を表示する。なお、この場合も、図８に示すように、二画面表示の下側に「○○交差点の手前にトラックが停車しています。注意して下さい。」のメッセージ文を表示するようにしてもよい。
【０１１３】
なお、図４のフローチャートにおいて、電源オフや処理終了の割り込みがあった場合は、障害物情報の出力処理はその時点で終了する。図４のフローチャートでは、ナビゲーション部１０２は、自動車Ｘが交差点に近付いた場合に一画面表示を二画面表示に切り換え、左側の分割画面１０５Ａで広域の地図ＧＭを用いたナビゲーションを継続し、右側の分割画面１０５Ｂで狭域の地図Ｇｃを用いて交差点における経路案内を行うようにしている（ステップＳ１０１〜Ｓ１０９のループ処理）。
【０１１４】
しかし、ナビゲーション部１０２が一画面表示を二画面表示に切り換えてナビゲーションを行う場合は、自動車Ｘが交差点に近付いた場合に限定されるものではなく、ナビゲーション部１０２は、例えば、自動車Ｘの走行経路を分かり易く案内する必要がある場合に適宜、一画面表示を二画面表示に切り換えてナビゲーションを行う。例えば、自動車Ｘが高速道路を走行している場合、ナビゲーション部１０２は、自動車Ｘが高速道路の出口やジャンクションに近付く毎に、一画面表示を二画面表示に切り換え、例えば、右側の分割画面１０５Ｂで各出口やジャンクションの地図又は道路構造を示す画像を表示して自動車Ｘの走行方向を案内することがある。
【０１１５】
また、ステップＳ１０８における障害物情報の取得処理では、取得部１０３は、自動車Ｘに搭載された障害物検知装置２を用いて障害物を検出する例について説明したが、障害物情報の取得方法はこの方法に限定されるものではない。
【０１１６】
取得部１０３は、例えば、財団法人道路交通情報通信システムセンターが電波ビーコン又は光ビーコンを用いて提供する安全運転支援システムを利用して自動車Ｘの走行経路における障害物情報を取得するようにしてもよい。この安全運転支援システムは、例えば、交差点の手前や見通しの悪いカーブの手前などに設置されたビーコンからそのビーコンの設置位置を通過する車両に対して進行先の交差点で交差する車両の位置や速度の情報、進行先で発生している渋滞の情報、進行先で対面する信号機の情報などを提供するシステムである。
【０１１７】
この安全運転支援システムを利用した場合、ナビゲーション装置１は、見通しの悪い交差点で交差する車両やカーブを曲がった先の渋滞の情報等を障害物情報として取得し、その障害物情報をナビゲーションとともに出力することができるので、事故多発地点などでの衝突事故を未然に防止することができる。
【０１１８】
また、取得部１０３は、例えば、車載器同士の間の無線通信、車載器と交差点の路側帯などに設置された路側機との間の無線通信、車載器と歩行者が保持する携帯機器との間の無線通信など技術を用いた高度道路交通システムを利用して障害物情報を取得してもよい。この高度道路交通システムは、ＵＨＦ帯の電波（たとえば、７００ＭＨｚ帯の電波）を用いて運転者に安全運転を支援するための情報を提供するシステムである。
【０１１９】
車載器同士の間の無線通信システム（車車間通信システム）は、例えば、２台の車両が互いに接近すると、両車両に搭載されている車載器同士が通信を行って、互いに相手の車両の位置などの情報を両車両の運転者に知らせることができるシステムである。この車車間通信システムを利用した場合、ナビゲーション装置１は、見通しの悪い交差点や物陰などで運転者の死角となる位置に侵入する車両の情報を障害物情報として取得し、その障害物情報をナビゲーションとともに出力することができるので、見通しの悪い交差点などでの出会い頭の衝突事故を未然に防止することができる。
【０１２０】
また、車載器と路側機との間の無線通信システム（路車間通信システム）は、例えば、車両が交差点などに近付くと、車両に搭載されている車載器がその交差点の路側帯に設けられた路側機と通信を行って、交差点の信号情報、交差点の規制情報、交差点の歩行者情報等の情報を運転者に知らせることができるシステムである。この路車間通信システムを利用した場合、ナビゲーション装置１は、交差点における歩行者や他の移動体などの情報を障害物情報として取得し、その障害物情報をナビゲーションとともに出力することができるので、事故多発地点などでの衝突事故を未然に防止することができる。
【０１２１】
また、車載器と歩行者の携帯機器との間の無線通信システム（歩車間通信システム）は、例えば、車両の近くに歩行者が居る場合、車両に搭載されている車載器がその歩行者が保持している携帯機器と通信を行って、歩行者の位置などの情報を運転者に知らせることができるシステムである。この歩車間通信システムを利用した場合、ナビゲーション装置１は、車両に接近する歩行者の情報を障害物情報として取得し、その障害物情報をナビゲーションとともに出力することができるので、例えば、高齢者や子供などの急など飛び出しなどによる衝突事故を未然に防止することができる。
【０１２２】
図４のフローチャートでは、取得部１０３が障害物情報を取得した場合、自動車Ｘが走行している道路又は障害物が存在する道路が細街路に該当するという条件を満たす場合にのみ障害物情報を出力するようにしているが（ステップＳ１１０の処理）、上述したように、道路の条件は細街路に該当するという条件に限定されるものではない。例えば、道路が見通りの悪い道路形状（急カーブの形状）を有していたり、天候状態などによって道路の路面状態が滑り易くなる悪天候状況の場合にも障害物情報を出力するようにしてもよい。
【０１２３】
図７の例では、ナビゲーション部１０２が二画面表示でナビゲーションを行っている場合、障害物情報を音声若しくはメッセージ文又は音声とメッセージ文の両方などで出力するようにしているが、ナビゲーション装置１の表示画面１０５を三分割し、一つの分割画面に障害物情報を出力するようにしてもよい。例えば、図９に示すように、二画面表示における右側の領域を上下に二分割して三画面表示とし、上側の分割画面１０５Ｂ’に二画面表示における右側の分割画面１０５Ｂに表示する交差点Ｐｃ２の経路案内用の画像を表示し、下側の分割画面１０５Ｃに障害物の位置を示す画像Ｇｓを表示してもよい。
【０１２４】
次に、図１０に示すフローチャートを用いて、障害物情報の出力処理の変形例の手順について説明する。図１０に示すフローチャートは、図４に示すフローチャートに対して、自動車Ｘが交差点に近付いた場合にだけ障害物情報を取得する点と、障害物が検出された場合、自動車Ｘが走行している道路又は障害物が存在する道路が所定の条件を満たす場合にのみ障害物情報を出力する点とが異なる。
【０１２５】
（ステップＳ２０１）ナビゲーション部１０２は、ＧＰＳにより自動車Ｘの現在位置Ｐｒの情報を取得する。
【０１２６】
（ステップＳ２０２）ナビゲーション部１０２は、自動車Ｘの現在位置が交差点の近くに位置しているか否かを判別する。ナビゲーション部１０２は、例えば、自動車Ｘの現在位置の情報と、地図情報の道路ネットワークの情報とを用いてマップマッチング処理を行い、地図上の自動車Ｘの現在位置に対応する位置を算出する。また、ナビゲーション部１０２は、経路探索で算出した経路の情報を用いて自動車Ｘが走行している道路の情報を取得し、その道路の自動車Ｘの走行先のノード情報から自動車Ｘが近付いている交差点の位置情報を取得する。
【０１２７】
そして、ナビゲーション部１０２は、地図上の自動車Ｘの現在位置と自動車Ｘの走行先にある交差点との間の距離Ｌｃを算出し、その距離Ｌｃ［ｍ］が閾値ＬＴＨ［ｍ］（例えば、数十ｍ）以下であるか否かを判別する。ナビゲーション部１０２は、ＬＴＨ＜Ｌｃであれば（Ｓ２０２：Ｎ）、自動車Ｘは交差点の近くに位置しているとして、ステップＳ２０６に進み、Ｌｃ≦ＬＴＨであれば（Ｓ２０２：Ｙ）、自動車Ｘは交差点の近くに位置していないとして、ステップＳ２０３に進む。
【０１２８】
（ステップＳ２０３）ナビゲーション部１０２は、ディスプレイの画面表示を一画面表示（ディスプレイの全画面を用いた表示）に切り換える。
【０１２９】
（ステップＳ２０４）ナビゲーション部１０２は、格納部１０１から自動車Ｘの現在位置を含む比較的広域の地図情報を読み出し、ディスプレイの全画面に表示する。また、ナビゲーション部１０２は、ナビゲーション情報をディスプレイに表示した地図上に表示する。具体的には、ナビゲーション部１０２は、地図上の自動車Ｘの現在位置に対応する位置に当該自動車Ｘを示す所定のマークを表示するとともに、地図上に自動車Ｘの現在位置から目的地に至る経路を表示する。なお、ナビゲーション部１０２は、地図上に目的地に対応する位置がある場合に当該目的地を示す所定のマークを表示して（図５の表示例参照）、ステップＳ２０１に戻る。
【０１３０】
（ステップＳ２０５）取得部１０３は、障害物検知装置２を用いて障害物情報を取得する。取得部１０３は、障害物検知装置２から出力される障害物の検知情報のうち、自動車Ｘを中心に所定の範囲ＲＴＨ内に存在する障害物の障害物情報を取得する。なお、取得部１０３は、電波ビーコン又は光ビーコンを用いた安全運転支援システムを利用して自動車Ｘの走行経路における障害物情報を取得するようにしてもよい。また、取得部１０３は、車車間通信システム、路車間通信システム、歩車間通信システムなどの高度道路交通システムを利用して障害物情報を取得してもよい。
【０１３１】
（ステップＳ２０６）取得部１０３は、障害物情報の取得処理により障害物が検出されたか否かを判別する。障害物が検出されない場合は（Ｓ２０６：Ｎ）、ステップＳ２０７に進み、障害物が検出された場合は（Ｓ２０６：Ｙ）、ステップＳ２１０に進む。
【０１３２】
（ステップＳ２０７）ナビゲーション部１０２は、自動車Ｘが近付いている交差点で経路案内の情報があるか否かを判別する。交差点における経路案内とは、交差点における経路が直進する、右折する、左折するなどの進行方向を運転者Ｙに知らせる案内である。交差点における経路案内の情報がない場合（Ｓ２０７：Ｎ）、ステップＳ２０３に進み、交差点における経路案内の情報がある場合（Ｓ２０７：Ｙ）、ステップＳ２０８に進む。
【０１３３】
（ステップＳ２０８）ナビゲーション部１０２は、ディスプレイの表示画面を二分割し、画面表示を一画面表示から二画面表示に切り換える。ナビゲーション部１０２は、例えば、当該ディスプレイの表示画面を横方向に二分割し、２つの分割画面を用いた二画面表示に切り換える。
【０１３４】
（ステップＳ２０９）ナビゲーション部１０２は、一画面表示で行っていたナビゲーション情報の表示を二画面表示のうちの一方の画面に切り換える。また、ナビゲーション部１０２は、格納部１０１から交差点の構造を示す図像（例えば、交差点の部分を拡大した地図若しくは交差点の道路構造を示す模式図などの図）を読み出して他方の画面に表示する。そして、ナビゲーション部１０２は、その交差点の構造を示す画像に交差点における経路案内の情報を表示して（図６の表示例参照）、ステップＳ２０１に戻る。
【０１３５】
（ステップＳ２１０）取得部１０３は、自動車Ｘが走行している道路又は障害物が存在する道路が所定の条件を満たすか否かを判別する。所定の条件は、道路が細街路に該当するという条件である。取得部１０３は、例えば、ナビゲーション部１０２がナビゲーション情報として取得した自動車Ｘが走行している道路の属性値又は障害物が存在する道路の属性値に幅員が閾値ＤＴＨ（例えば、４［ｍ］）未満であるという情報が含まれているか否かを判別する。取得部１０３は、幅員が閾値ＤＴＨ未満であるという情報（すなわち、道路が細街路であるという情報）が含まれていれば、自動車Ｘが走行している道路又は障害物が存在する道路は条件を満たすと判断し（Ｓ２１０：Ｙ）、ステップＳ２１１に進み、幅員が閾値ＤＴＨ未満であるという情報（すなわち、道路が細街路ではないという情報）が含まれていなければ（Ｓ２１０：Ｎ）、ステップＳ２０７に進む。
【０１３６】
（ステップＳ２１１）出力部１０４は、ナビゲーション部１０２が二画面表示でナビゲーションをしているか否かを判別する。ナビゲーション部１０２が二画面表示でナビゲーションをしている場合は（Ｓ２１１：Ｙ）、ステップＳ２１２に進み、ナビゲーション部１０２が一画面表示でナビゲーションをしている場合は（Ｓ２１１：Ｎ）、ステップＳ２１３に進む。
【０１３７】
（ステップＳ２１２）出力部１０４は、取得部１０３が取得した障害物情報を、音声で出力する。例えば、取得部１０３が自動車Ｘの進入しようとしている交差点の手前に停車している大型の自動車（例えば、トラック）を障害物情報として取得したとする。出力部１０４は、取得部１０３が取得した障害物情報と予め用意されている雛形のメッセージ文とを用いてメッセージ文を生成する。「＊＊交差点の手前に＃＃が停車しています。注意してください。」の雛形のメッセージ文を格納部１０１に格納し、出力部１０４は、雛形のメッセージ文の「＊＊」と「＃＃」の部分に、ナビゲーション部１０２が取得した交差点の名称「○○」と取得部１０３が取得した障害物の種類（例えば、トラック）を嵌め込んで、「○○交差点の手前にトラックが停車しています。注意して下さい。」のメッセージ文を生成する。そして、出力部１０４は、メッセージ文を音声に変換してナビゲーション装置１のスピーカーから出力して（図７，図９の表示例参照）、ステップＳ２０１に戻る。
【０１３８】
（ステップＳ２１３）出力部１０４は、ディスプレイの表示画面を二分割し、一画面表示から二画面表示に切り換える。出力部１０４は、当該ディスプレイの表示画面を横方向もしくは縦方向に二分割し、２つの分割画面を用いた二画面表示に切り換える。
【０１３９】
（ステップＳ２１４）ナビゲーション部１０２は、一画面表示で行っていたナビゲーションを二画面表示のうちの一方の画面を用いて継続する。また、出力部１０４は、二画面表示のうちの他方の画面を用いて障害物情報を出力して（図８の表示例参照）、ステップＳ２０１に戻る。
【０１４０】
なお、図１０のフローチャートにおいて、電源オフや処理終了の割り込みがあった場合は、障害物情報の出力処理はその時点で終了する。
【０１４１】
上記の実施の形態において、サーバなどで交通の障害となる状況に関する情報を提供するサービスがある場合は、取得部１０３が有線又は無線によりそのサーバにアクセスして交通の障害となる障害物情報を取得するようにしてもよい。
【０１４２】
上記のように、本実施の形態によれば、ナビゲーション部１０２がナビゲーションを行っているときに、障害物情報を取得し、ナビゲーションとともにその障害物情報を出力するので、運転者Ｙに障害物に対する注意を喚起することができる。特に、自動車Ｘが交差点に近づいたときに障害物情報を取得してその障害物情報を出力するので、衝突事故が生じやすい交差点において、運転者Ｙに障害物への注意を喚起することができる。
【０１４３】
また、ナビゲーション部１０２が行うナビゲーションの表示の状態に応じて、障害物情報をナビゲーションの出力態様とは異なる出力態様で出力するので、運転者Ｙへのナビゲーションを阻害することなく、運転者Ｙに対して障害物への注意を喚起することができる。  特に、障害物の位置情報を取得して地図上に障害物の位置を出力するので、自動車Ｘの現在位置に対する障害物の位置の相対的な位置関係を運転者Ｙに分かり易く知らせることができる。
【０１４４】
また、自動車Ｘが走行している道路又は障害物が存在する道路が交通事故を誘発する所定の条件を満たす場合に、障害物情報を取得してナビゲーションとともに出力するようにしているので、運転者Ｙに障害物への注意を喚起して衝突事故の防止を支援することができる。例えば、道路の幅員が閾値以下又は閾値未満の幅員であるという条件を満たす場合、道路が見通しの悪い急カーブを有するという条件を満たす場合、道路の路面状態が凍結路などの低摩擦状態になっている条件を満たす場合などに障害物情報を運転者Ｙに報知することにより、細街路、急カーブ、凍結路などの事故が発生しやすい道路条件での障害物への事故を防止することができる。
【産業上の利用可能性】
【０１４５】
以上のように、本発明は、ナビゲーション装置等に有用である。
【符号の説明】
【０１４６】
１  ナビゲーション装置
１０１  格納部
１０２  ナビゲーション部
１０３  取得部
１０４  出力部
【図１】
2017156153.tif 000003
【図２】
2017156153.tif 000004
【図３】
2017156153.tif 000005
【図４】
2017156153.tif 000006
【図５】
2017156153.tif 000007
【図６】
2017156153.tif 000008
【図７】
2017156153.tif 000009
【図８】
2017156153.tif 000010
【図９】
2017156153.tif 000011
【図１０】
2017156153.tif 000012